(57)【要約】本発明はバックライトユニット(back light unit)で2個の集光シートの接  触面(contact surfaces)間での光学的結合(optical coupling)を制御する事が出来る集光 シート構造(prism sheet structure)を提供する。 上記集光シートは、その長さ方向(length  direction)を最高高さ(maximum  height)と最低高さ(minimum  height)を持つ非平面形ピーク等(non-planar  peaks)  (11)を備える構造化表面(structural  surface)(14)と、上記ピークの高さ変化  サイクル(cycle)と同一のサイクルを備える屈曲部(curved  layer)(17)を備える。 上記屈曲部は、上記ピーク等の各最高高さ点と最低高さ点間の差で形成される直角二等辺三角プリズム(right-angled  isosceles  triangular  prism)の形状を一定のサイズで維持する為に上記構造化表面(14)と滑らかな面(flat  sur  face)が接する境界面(boundary  surface;16)間に形成されて、谷(valleys)  (12)の相互間間隔がその長さ方向に沿って均一になる。 プリズムの形状は同一であるがピークの高さ変化のサイクルに依ってモアレパターン(moire  patterns)を抑制したり除去する事が出来る。 【代表図】図10a【索引語】LCD、バックライト、ユニット、集光シート、モアレパターン、プリズム、回折
2007520723.tif 000002
【特許請求の範囲】
【請求項１】
一側面に構造化表面（14）を持ち他の面にその構造化表面と反対になる滑らかな面（15）を含み、上記構造化表面（14）は並んで配列された直角二等辺三角プリズムの線形配列を含み複数のピーク（11）と谷（12）を形成し、上記プリズムの垂直面は上記構造化表面と反対になる滑らかな面と約45゜の角度を成して構成された集光シートに於いて、上記集光シートの構造化表面（14）は、その長さ方向に沿ってピーク（11）の高さが最高点と最低点に区分される非平面形のピークで成り、上記ピークの最高高さと最低高さの差で形成される二等辺プリズムの形状を一定のサイズで維持する為に上記構造化表面（14）と滑らかな面が接する境界面（16）の間に上記ピークの高さ変化サイクルと同一なサイクルの屈曲部（17）を形成して谷（12）の相互間間隔を平衡間隔に維持するように構成した事を特徴とするバックライトユニットの集光シート。
【請求項２】
上記ピークの形状は最高点と最低点の高さ差が緩やかな曲率で現れる流線型曲率で形成された事を特徴とする請求項1に記載のバックライトユニットの集光シート。
【請求項３】
上記ピークの高さ差で形成される流線型曲率のサイクルが周期的又は非周期的に連続反復される事を特徴とする請求項1に記載のバックライトユニットの集光シート。
【請求項４】
上記ピークの高さは0.125〜2.5μｍに形成させた事を特徴とする請求項1に記載のバックライトユニットの集光シート。
【請求項５】
上記集光シートの材質が透明で柔軟性があるポリマーフィルムで成る事を特徴とする請求項1に記載のバックライトユニットの集光シート。
【請求項６】
上記ポリマーフィルムはアクリレート、ポリカーボネート、ポリエステル、ポリ塩化ビニルで成ったグループから選択された一つのポリマーを材料とする事を特徴とする請求項５に記載のバックライトユニットの集光シート。
【請求項７】
上記ポリマーフィルムはポリカーボネート上にアクリレートが積層された多層のフィルムである事を特徴とする請求項5に記載のバックライトユニットの集光シート。
【請求項８】
上記ポリマーフィルムはポリエステル上にアクリレートが積層された多層のフィルムである事を特徴とする請求項5に記載のバックライトユニットの集光シート。
【請求項９】
上記集光シートのプリズムの大きさがLCDピクセル当り2個以上、即ち0.127mm以下である事を特徴とする 請求項1に記載のバックライトユニットの集光シート
【請求項１０】
一側面に構造化表面（14）を持ち他の面にその構造化表面と反対になる滑らかな面（15）を含み、上記構造化表面（14）は並んで配列された直角二等辺プリズムの線形配列を含み、複数のピーク（11）と谷（12）を形成し、上記プリズムの垂直面は上記構造化表面と反対になる滑らかな面と約45゜の角度を成して構成された集光シートを2枚以上交差角を成して交差させて使うバックライトユニット構造に於いて、少なくとも1枚以上の集光シート等の構造化表面は長さ方向に沿うったピーク（11）の高さが最高点と最低点にはっきりと区分される非平面形のピークで成り、上記ピークの最高高さと最低高さ差で形成される二等辺プリズムの形状を一定のサイズで維持する為に上記構造化表面（14）と滑らかな面が接する境界面（16）の間に上記ピークの高さ変化サイクルと同一なサイクルの屈曲部（17）を形成して谷（12）の相互間間隔を平衡間隔で維持するように構成した集光シートを使うことを特徴とするバックライトユニット。
【請求項１１】
上記集光シートピークの形状が最高点と最低点の高さ差が緩やかな曲率で現れる流線型曲率に形成された事を特徴とする 請求項10に記載のバックライトユニット。
【請求項１２】
上記集光シートピークの高さ差で形成される流線型曲率のサイクルが周期的または非周期的に連続反復される事を特徴とする 請求項10に記載のバックライトユニット。
【請求項１３】
上記集光シートピークの高さは0.125〜2.5μｍの範囲に形成させた事を特徴とする 請求項10に記載のバックライトユニット。
【請求項１４】
上記集光シートの材質が透明で柔軟性があるポリマーフィルムで成る事を特徴とする請求項10に記載のバックライトユニット。
【請求項１５】
上記ポリマーフィルムはアクリレート、ポリカーボネート、ポリエステル、ポリ塩化ビニルで成ったグループから選択された一つのポリマーを材料とする事を特徴でする請求項14に記載のバックライトユニット。
【請求項１６】
上記ポリマーフィルムはポリカーボネート上にアクリレートが積層された多層のフィルムである事を特徴とする請求項14に記載のバックライトユニット。
【請求項１７】
上記ポリマーフィルムはポリエステル上にアクリレートが積層された多層のフィルムである事を特徴とする請求項14に記載のバックライトユニット。
【発明の詳細な説明】
【発明が属する技術分野】
【０００１】
本発明はLCD用バックライトユニットに関するもので、より詳しくはバックライトユニットから放射される光の正面輝度を高める為の構成を成している集光シート間の接触面の間で発生する光学的結合を制御する事が出来る構造を提供する事で接触で発生するモアレ現象を減少させる為の集光シートに関するものである。
【従来の技術】
【０００２】
一般的な映像表示手段であるモニターとして最近、脚光を受けている液晶表示装置（Liquid  Crystal  Display）は既存のカソードレイチューブとは違って電力消耗が非常に少なく、電子銃を使わなくて薄くて軽い特徴を持っていて近来急速な開発及び普及が成されている。
この様なLCDは自体的に発光する性能を持つ事が出来ない為に、光を反射させたり透過させて光の量を調節する方式が利用される。一般的に使用されている透過形LCDで使用される光源装置をバックライトユニット（Back  light  Unit）と言うが、LCDの性能はバックライトユニットの性能に依って大きく影響を受けるようになる。
図1及び図2は一般的なLCDに採用されているバックライトユニットの構造を説明するための図面で、バックライトユニットは蛍光ランプ（1）と、反射板（2）、導光板（3）、拡散シート（4）、第1集光シート（5）、第2集光シート（6）及び保護シート（7）で成り、LCDパネル（8）が最上部に装着される。
【０００３】
図2に図示された様に蛍光ランプ（1）に電圧が印加されれば蛍光ランプ（1）内に存在する残留電子等が陽極に移動され、陽極に移動中である残留電子がアルゴン（Ar）と衝突されればアルゴンが励起されて 陽イオンが増殖され、増殖された陽イオンが陰極に衝突して２次電子を放出する様になる。
この様に放出された2次電子が菅内を流れて放電を開始するようになると、放電に依る電子の流れが水銀蒸気と衝突、電離されて紫外線及び可視光が放出されるようになり、放出された紫外線がランプ内壁に塗布された蛍光体を励起させて可視光を放出する様になる。
上記放出された可視光は傾斜された下部面を持っている導光板（3）に進行するようになるが、導光板（3）の下部面には可視光の進行方向をLCDパネル（8）側に変換させる為に微細なドットパターンの様な各種パターンが印刷されていて光損失を減らすと同時に反射板（2）と共に光を上部面側に案内する様になる。
この時、導光板（3）の上部面を通過する光は上部面に対して垂直出射する光だけでなく多様な角図で傾斜出射される光等が存在している。
【０００４】
上記導光板（3）と第1集光シート（5）間に位置している拡散シート（4）は導光板（3）から入射される光を分散させる事で光が部分的に密集されることを防止すると共に、第1集光シート（5）側に進行する光の方向を第1集光シート（5）に対する傾斜角を減らす役割も一緒に遂行する。
上記第1集光シート（5）と第2集光シート（6）は各々上部面に三角柱模様のプリズムが一定の配列を持って形成されており、第1集光シート（5）のプリズム配列と第2集光シート（6）のプリズム配列は互いに所定の角図に行き違うように配置される。
上記第1及び第2集光シート（5、6）は各々拡散シート（4）から拡散された光をLCDパネル（8）平面に垂直な方向に集光する役割を遂行し、これに依って第1及び第2集光シート（5、6）を通過した光の保護シート（7）に対する垂直入射性が完璧に得られるのである。
これに従って、上記第1及び第2集光シート（5、6）を通過する光はほとんど大部分が垂直に進行するようになって保護シート（7）上の輝度分布は均一に得られる。
【０００５】
しかし、この様な従来のバックライトユニットに適用する為の集光シートに依れば、集光シートのピーク（peak）高さがストライプ形態の長さ方向に沿って常に同一に維持されて第1及び第2集光シートを重ねて使う場合、下部に位置する第1集光シート（5）のピーク部位と上部に位置する第2集光シート（6）の平らな面間に光学的結合が発生するようになり、これに依って可視的に線紋様が現れるモアレ（moire）現象が発生して画面上で具現されるイメージ特性が低下される問題点が現れる。
バックライトユニットに適用される集光シートの構造は大韓民国特許公報公開番号1987-0005258に薄膜柔軟性フィルムで紹介されている。
【０００６】
図3はバックライトユニットの集光シートに適用される薄膜柔軟性フィルムで、この薄膜柔軟性フィルムは一側面に構造化表面（12）を持ち他の一側面にそれと反対である滑らかな面（14）を持つ透明な重合体物質で成っている。
このフィルムの構造化表面（12）は平行に並んで配列された小型の直角二等辺プリズムの線形配列を含めて図4及び図5の様にフィルム（10）の長さにかかる複数のピーク（17）と溝（18）を形成する。 垂直面（20）はフィルムが平面に位置する場合隣接した滑らかな面（14）に対して約45゜のアルファー（α）角を成す。
【０００７】
構造化表面（12）又は表面（14）に一定角度内に突き当てられる入射光は図4の様に他の表面で全反射される。一番目の表面に依って屈折された光がその垂線に対して臨界角より大きい角度で二番目の表面に突き当てられる場合、光は全反射される。空気中でこの臨界角はその物質の屈折率の逆数のアークサイン（arcsine）で定義される。尚、図5の様にその角度範囲外に表面（12）又は表面（14）に突き当てられる入射光の相当な部分が透過されその残りは反射される。両方の場合に於いて物質に依る光吸収は無視する程度である。
この柔軟性薄膜フィルムは図3の様に、滑らかな面（14）に対する垂線Nで形成された各滑らかな面（14）に入射された光線Aは屈折されて構造化表面（12）で全反射される。光線Aと垂線Nは全部構造化表面（12）のプリズム（16）の線形配列が置かれる方向Pに対して垂直な平面に位置する。光線Aは全反射され同一平面に位置する反射光線A'に出てくる。同様に方向Pに対して垂直でない平面で滑らかな面（14）に入射される他の光線Bが例示されているが、入射光線Bは内部に反射され入射光線Bとプリズム方向Pによって限定された他の平面で光線B'に出てくる。
【０００８】
しかし、このような薄膜柔軟性フィルムをバックライトユニットの集光シートに適用する場合、前述した様に集光シートのピーク（peak）高さがストライプ形態の長さ方向に沿って常に同一に維持されて第1及び第2集光シートに重ねて使う場合、下部に位置する第1集光シートのピーク部位と上部に位置する第2集光シートの平らな面間に光学的結合が発生するようになり、これに依って可視的に線紋様が現れるモアレ現象が発生して画面上で具現されるイメージ特性が低下される問題点があった。
【発明の開示】
【発明が解決しようとする課題】
【０００９】
従って、本発明の目的はバックライトユニットに效果的に適用する為の集光シートを提供するのである。
本発明の他の目的はバックライトユニット集光シートのピーク高さがストライプ形態の長さ方向に沿って同一に維持されて第1及び第2 集光シートを重ねて使う場合現れる光学的結合を集光シート構造を変化させて減らすのである。
本発明のまた他の目的はバックライトユニットを構成する為に集光シートを重ねて配列する場合おのおのの集光シート相互間の光学的結合を最小化させてモアレ現象を減少させるのである。
【課題を解決するための手段】
【００１０】
この様な目的を達成する為の本発明に依るバックライトユニットの集光シートは、一側面に構造化表面を持ち他の面にその構造化表面と反対になる滑らかな面を含み、上記構造化表面は並んで配列された直角二等辺プリズムの線形配列を含み複数のピークと谷を形成し、上記プリズムの垂直面は上記構造化表面と反対になる滑らかな面と約45゜の角度を成して構成された集光シートに於いて、上記バックライトユニットの集光シートの構造化表面は、長さ方向に沿うピークの高さが最高点と最低点に区分される非平面形ピークで成り、上記ピークの最高高さと最低高さの差で形成される二等辺プリズムの形状を一定のサイズで維持する為に上記構造化表面と滑らかな面が接する境界面の間に上記ピークの高さ変化サイクルと同一のサイクルの屈曲部を形成して谷の相互間間隔を平衡間隔で維持する様に構成した事を特徴とする。
【００１１】
このように集光シートの構造化表面を変化させてバックライトユニットの集光シートに使えば該当集光シートの相互間構造化表面に依って発生される光学的結合を最小化し、これを通じてモアレ紋様を最小限に抑制したり除去する事が出来るのでバックライトユニットに適用される高信頼性集光シートを得る事が出来る様になる。
【００１２】
本発明の実施例を図面を参考して説明すれば次の様である。
図6は本発明の実施例に依る集光シートの構成のための理論背景であるプリズム格子での光源回折を説明する為の図面で、（a）は透過プリズム格子（b）は格子周期と格子の間の関係を説明する為の図面である。図7は構造化表面を中心とする集光シートの回折特性比較図で、（a）は一般的なプリズム格子シート、（b）は本発明に依るプリズム格子シートである。図8は構造化表面を中心とする集光シートの格子構造での照度量比較図で、（a）は一定の格子を持つプリズムシートの配列及び照度量参考図、（b）は周期的な変化を持つ一定の格子を持つプリズムシートの配列及び照度量参考図である。図9は集光シートで構造化表面と厚さ変化に依る位相差を表した図面であり、図10は本発明の実施例に依る集光シートを各々異なる方向に表した図面で、（a）はx方向、（b）はy方向を表した図面である。
【００１３】
本発明の実施例に依る集光シートは、一側面に構造化表面（14）を持ち他の面にその構造化表面と反対になる滑らかな面（15）を含み、上記構造化表面（14）は並んで配列された直角二等辺プリズムの線形配列を含み複数のピーク（11）と谷（12）を形成し、上記プリズムの垂直面は上記構造化表面と反対になる滑らかな面と約45゜の角度を成して構成された集光シートに於いて、上記バックライトユニット集光シート（10）の構造化表面（14）は、長さ方向に沿うピーク（11）の高さが最高点と最低点に区分される非平面形ピーク（11）で成り、上記ピーク（11）の最高高さと最低高さの差で形成される二等辺プリズム（13）の形状を一定のサイズで維持するために上記構造化表面（14）と滑らかな面（15）が接する境界面（16）間に上記ピーク（11）の高さ変化サイクルと同一のサイクルの屈曲部（17）を形成して谷（12）の相互間間隔を平衡間隔で維持する様に構成した事を特徴とする。
【００１４】
また、上記ピーク（11）の形状は最高点と最低点の高さ差が緩やかな曲率で現れる流線型曲率（18）に形成される。
また、上記ピーク（11）の高さ差で形成される流線型曲率のサイクルは周期的または非周期的に連続反復されるように現れる。
また、望ましくは集光シート（10）は、透明で柔軟性があり加工性が優秀な熱可塑性ポリマーフィルムで成り、上記ポリマーとしては、アクリレート、ポリカーボネート、ポリエステル、ポリ塩化ビニルで成るグループから選択された一つのポリマーを使う事が出来る。
上記ポリマーフィルムは、ポリカーボネート上にアクリレートが積層された多層のフィルムを使うか、ポリエステルの上にアクリレートが積層された多層のフィルムを使う事も出来る。
【００１５】
上記集光シート（10）のプリズム（13）の大きさは、集光フィルムをLCDパネルといかなる複雑な配列なしに各々のLCDピクセル（pixel）に対してプリズムの集光機能が均一に発揮される様にLCDピクセル当り2個のプリズム以上、即ち0.127mm以下にするのが望ましい。
また、上記集光シート（10）のピーク（11）の高さ変化量（h）はモアレ現象を最小化させる為に可視光領域で補強干渉とか相殺干渉が起こらない範囲である0.125〜2.5μｍに形成させるのが望ましい。
この様な集光シート（10）を適用する本発明の実施例に依るバックライトユニットは、少なくとも1枚以上の長さ方向に沿うピーク（11）の高さが最高点と最低点に区分される非平面形のピークで成り、上記ピークの最高高さと最低高さの差で形成される二等辺プリズムの形状を一定のサイズで維持するために上記構造化表面（14）と滑らかな面が接する境界面（16）間に上記ピークの高さ変化サイクルと同一のサイクルの屈曲部（17）を形成して谷（12）の相互間間隔を平衡間隔で維持するように構成した集光シート（10）を使って構成する事が出来る。
【００１６】
本発明の実施例に依る集光シート構造に関する理論的な背景を図6ないし図9を参考して見ると、集光シートの基礎的な理論の出発点は回折格子理論を通じて知る事が出来る。
回折穴又は障害物が周期的に配列されて、出射波の位相又は振幅、位相と振幅全てに周期的な変化を作る装置を回折格子と言う。大略1785年にアメリカ天文学者であるリッテンハウス（David Rittenhouse）によって考案された。数年後フラウンホファー（Joseph von Fraunhofer）はこの原理を独立的に再発見し、続けて格子に対する理論と技術に重要な多くの貢献を残した。二つの平行したねじの間に細い針金とか糸を巻いて使用して装置を通過した波面は不透明な部分と透明な部分が交代に反復される配列によって振幅変調を受ける。それで多重スリット配列を透過振幅格子と言い、より一般的な透過格子は偏平で透明なガラス板の表面に並んでいる溝を掻いたり掘って作る。
【００１７】
即ち、形成された各溝は散乱光源の役割をし、全体的には互いに平行で規則的な線光源の配列を構成する。振幅変調がほとんどなしに光を完全に透過するが、光学的な厚さが規則的に変化される格子は位相変調を起こし、これを透過位相格子と言う。この場合には振幅の代わりに波面の模様が図6aでの様に周期的に変わるようになり、連続的に分布された平面波成分等を含むようになる。
それ以外にも反射位相格子など様々な現象がある。既存の不規則周期を持つ格子の場合は透過振幅格子現象を最小化する方式であり、多層シートを使う場合は透過位相格子效果を最小化する方式に属する。本発明は透過振幅及び位相条件を適切に利用して回折效果を最小化する方式である。
透過格子を通じて遠くに離れて平行するように置かれた線光源を正面で眺める時、目は回折紋様を形成する焦点レンズとして作用する。これと関連された下記[数学式1]
【００１８】
［数学式１］
2007520723.tif 000003
【００１９】
は垂直入射に対する回折格子方程式である。ここでmは主要最大値の次数である。タングステンフィラメントの様な広くて連続的なスペクトルを持った光源に対して、m=0、即ち0次数の像は偏向されない（θ＝0）白色光に該当する。
回折格子方程式は波長に依存するから、m≠0である任意の値に対して若干ずつ異なる角度（θm）に対応して分散されるいろいろな色の像は連続的なスペクトルを形成するようになる。小さい補助最大等に該当する多くの像は観測が非常に難しくなる。1次スペクトルの場合m=±1はθ0の両側に現れ高い次数のスペクトルm=±2、±3。。。が暗い間隔と交代に現れる。
図6bでの位相条件は下記[数学式2]の様な表現が可能である。
【００２０】
［数学式２］
2007520723.tif 000004
【００２１】
最も重要な問題点はm=0の時方向性が非常に重要である。偏向されない白色光の干渉が起こるからである。
一方、図7は従来の一般的な集光シート（a）の格子構造と本発明に依る集光シート（b）の格子構造を比較した図面で、このような格子構造の比較を通じて回折特性を説明する事が出来る。
【００２２】
図7の（b）で見られる各格子から出射波の方向が任意の方向に互いに平行するように進行する光線群を考慮して見よう。この波等は特定地点上のどの点に集まるようになり、各波の位相が同一な確率で0と2π間の任意の値を持つ事になる。ここで知ろうとするのは任意の相対的位相を持つN個の振幅が同じ位相差等の重畳に依る光波である。
重要な事実は任意の位相を持った多くの数の位相差の合計は常識的な予測とは違って0にならないと言う事である。この様に回折で最も重要な部分が位相差である。この点が本発明の物理的基盤である。
即ち、プリズム格子の進行方向への振幅変化は入射する光線群は格子の表面に垂直な方向成分に光を誘導して位相差を変化させて観測者の目に回折現象を起こさない様に誘導する。
【００２３】
格子面の垂直方向に光線群を誘導するということは進行方向への周期的な振幅変化によって有効屈折率分布が違ってくる。光は有効屈折率が高い方に移動するので光の進行方向が変更される様になる。
図7の（a）の場合、一点での同じ方向に光が誘導されるので回折現象が起こる。その理由は出射波の位相が同じ位相が現像されるからだ。しかしこのような場合、一点で前に言及された物理的根拠によって位相の合計が0にならないので干渉現象が減少される様になるのである。位相の合計が0にならないからだ。
【００２４】
本発明を物理的に具体的に調べて見ると、図8で見られる様に格子の輻射照度分布をある特定な非軸上（off-axis）の点に対して平均を取ると、平均輻射照度（Iaver:average）は単一格子に依る輻射照度（I0）のN倍と同じになってIaver=NI0になる。
しかし任意の一個の格子に依る任意の点での輻射照度はNが非常に大きい値であっても、平均値とかなり大きい差を見せるようになる。この様に観測点間の遥動（Fluctuation）によって、各格子に該当する特定紋様は纖維束分布の様に広がる現象を持つようになる。
図8の（b）の場合は図8の（a）とは異なっておのおのの格子等の輻射照度値が互いに差があり観測者は混乱を感じることで回折効率を減少させる。
上記では透過振幅格子の回折干渉を最小化した内容であったし、同時に位相変位は次の様に説明する事が出来る。
【００２５】
本発明での集光シートの正面図を調べて見れば位相変位が容易に現れるが、図9に集光シートの透過正面図の模様を表した。
本発明が持つまた一つの長所は厚さで位相差が考慮されると言う事である。試製品の結果厚さ（δ）くらいの変化を見せている。 上記で言及した振幅に依る照度量の差を持たらすだけでなく位相の違いも同時に持たらすようになる。 位相の違いの程度を調べて見れば下記[数学式3]で表現が可能である。
【００２６】
［数学式３］
2007520723.tif 000005
【００２７】
図9で点線で表現された部分が透過した模様の一つの部分を表したものである。Ψ0とΨ1は各々の格子の位相経路の差を意味する。 この時にkは波数を意味し、nは格子の屈折率であり、δは厚さ変化量である。
このような厚さ差はΨ0とΨ1の差値が0ではない値を形成するので回折效果を減殺させる。また内部的な反射によって更に透過されてもこのような差は同一に現れる様になる。
本発明で使用された原理は大きく透過振幅格子と位相格子理論を使ったものである。透過振幅格子では有効屈折に依る光の曲げ現象と照度量の差に依る観測者立場での揺動現象として回折効率低下を説明したし、位相格子理論を根幹に厚さの変化量が位相経路の差値を0に作る事が出来ない点を利用して回折干渉を減殺させることを確認する事が出来た。
以下、本発明の実施例に依る集光シートを図10を参照して詳しく説明すれば次の様である。
【００２８】
本実施例の集光シート（10）構造を調べて見れば図10の（a）（b）に図示された様に、集光シート（10）の構造化表面（14）は、長さ方向に沿うピーク（11）の高さが最高点と最低点に確然に区分される非平面形ピーク（11）で成る。また、上記ピーク（11）の最高高さと最低高さの差で形成される二等辺プリズム（13）の形状を一定のサイズで維持するために上記構造化表面（14）と滑らかな面（15）が接する境界面（16）間に上記ピーク（11）の高さ変化サイクルと同一なサイクルの屈曲部（17）を形成して谷（12）の相互間間隔を平衡間隔で維持するように構成される。
【００２９】
また、上記ピーク（11）の形状は最高点と最低点の高さの差が緩やかな曲率で現れる流線型曲率（18）に形成される。また、上記ピーク（11）の高さ差で形成される流線型曲率のサイクルは周期的または非周期に連続反復される。
このように本発明に依る集光シートは各長さ方向（y方向）に沿って一定周期（λ）で高さが変化する構造を成すようになるが、上記ピーク（11）と谷（12）の高さ方向（z方向）変化量（h）は補強干渉とか相殺干渉が起こらない範囲を[数学式3]に適用すれば、
【００３０】
［数学式４］
2007520723.tif 000006
1次回折（m=1）だけ考慮した時、kn=π/λである。λは可視光の波長（0.4〜0.6μｍ）を意味する。概略的に平均値（0.5μｍ）を取る場合高さの変化（δ）は約0.125〜0.25μｍである。もしプリズムの高さが25μｍであれば高さの変化はプリズム高さの0.5%〜1%程度である。しかしモアレの場合1〜10次までの回折を考慮しなければならないので高さの変化は約0.125〜2.5μｍの区間になるであろう。
この様な構造を成す本発明に依る集光シート（10）を下部集光シートにして上部集光シートと重ねてバックライトユニットに適用される場合、高く変化が成されているシートピーク（11）と隣接シート間の回折が起こりうる範囲が減って相互間の光学的結合が減少されるようになる。
【００３１】
即ち、シートピーク（11）中最高点でのみ上部集光シート底面の滑らかな面（15）との接触が発生するようになる事で、上記で高さ変化が成されるピーク（11）構造が適用される場合、2枚のシートを重ねて使っても光学的結合によって従来発生されていたモアレ紋様が大部分取り除けられるようになる。
【発明の効果】
【００３２】
以上で調べて見た様に本発明に依るバックライトユニットの集光シート構造は、上部シートとの回折範囲を減少させて光学的結合を小さくしこれを通じてモアレ紋様形成を抑制して優秀な状態のイメージ映像を提供する事が出来る效果を現わすようになる。
【図面の簡単な説明】
【００３３】
【図１】従来の集光シートが適用されたバックライトユニットのアセンブリ分解斜視図。
【図２】図１のA1-A2線に沿う断面図。
【図３】（a）（b）はバックライトユニットに適用可能な従来の柔軟性フィルムの構成を示した拡大斜視図。
【図４】バックライトユニットに適用可能な従来の柔軟性フィルムの断面図。
【図５】図４の逆断面図
【図６】本発明の実施例に依る集光シートの構成のための理論背景であるプリズム格子での光源回折を説明する為の図面で、（a）は透過プリズム格子（b）は格子周期と格子の間の関係を説明するための図面。
【図７】構造化表面を中心とする集光シートの回折特性比較図で、（a）は一般的なプリズム格子シート、（b）は本発明に依るプリズム格子シート。
【図８】構造化表面を中心とする集光シートの格子構造での照度量比較図で、（a）は一定な格子を持つプリズムシートの配列及び照度量参考図（b）は周期的な変化を持つ一定の格子を持つプリズムシートの配列及び照度量参考図。
【図９】集光シートで構造化表面と厚さ変化に依る位相差を示した図面。
【図１０】本発明の実施例に依る集光シートを各々異なる方向に表した図面で、（a）はx方向、（b）はy方向を表した図面
【符号の説明】
【００３４】
10:集光シート
11:ピーク部
12:谷部
13:プリズム
14:構造化表面
15:滑らかな面
16:境界面 
17:屈曲部
18:流線型曲率
【図１】
2007520723.tif 000007
【図２】
2007520723.tif 000008
2007520723.tif 000009
【図４】
2007520723.tif 000010
【図５】
2007520723.tif 000011
2007520723.tif 000012
2007520723.tif 000013
2007520723.tif 000014
【図９】
2007520723.tif 000015
2007520723.tif 000016
【国際調査報告】
2007520723.tif 000017